(57)【要約】【課題】  剛性の大きなバネを使用しなくても、発射能力に優れる手段を提供する。【解決手段】弾丸を発射するモデルガンに用いる気体ポンプにおいて、気室７２を形成し、該気室７２の側壁を形成するシリンダヘッド７１を備え、該シリンダヘッド７１が中心孔７３を有するシリンダ７と、気室７２に通じる第１端および銃身内に通じる第２端を有する管９と、気室７２内を移動し、気室７２内の気体を圧縮するのに適したピストンヘッド８１を備えたピストン８とを具備し、ピストンヘッド８１が、円錐形状を有し、シリンダヘッド７１が、ピストンヘッド８１の円錐形状の相補的な漏斗形状を有し、シリンダヘッド７１が、管９に向けて空気流れに渦を起こさせるための手段を含んでいる。【選択図】図３
2005172000.tif 000002
【特許請求の範囲】
【請求項１】
弾丸を発射する気体ポンプにおいて、
気室を形成し、該気室の側壁を形成するシリンダヘッドを備え、該シリンダヘッドが中心孔を有するシリンダと、
気室に通じる第１端および銃身内に通じる第２端を有する管と、
気室内を移動し、気室内の気体を圧縮するのに適したピストンヘッドを備えたピストンとを具備し、
ピストンヘッドが、円錐形状を有し、
シリンダヘッドが、ピストンヘッドの円錐形状の相補的な漏斗形状を有し、
シリンダヘッドが、管に向けて空気流れに渦を起こさせるための手段を含んでいることを特徴とする、気体ポンプ。
【請求項２】
空気流れに渦を起こさせるための手段が、フィンであることを特徴とする、請求項１に記載の気体ポンプ。
【請求項３】
ピストンヘッドが、シリンダヘッドのフィンを受けるのに適した溝を具備することを特徴とする、請求項２に記載の気体ポンプ。
【請求項４】
シリンダヘッドとピストンヘッドとの間に、緩衝継手を具備することを特徴とする、請求項１〜請求項３のいずれか一つに記載の気体ポンプ。
【請求項５】
緩衝継手が、Ｏリングであることを特徴とする、請求項４に記載の気体ポンプ。
【請求項６】
ピストンヘッドが、第１ディスク及び第２ディスクを有し
第１ディスクと第２ディスクとの間に、Ｏリング継手を具備することを特徴とする、請求項１〜請求項４のいずれか一つに記載の気体ポンプ。
【請求項７】
ピストンヘッドが、ピストンヘッドの両側に貫通する組立ネジを具備し、
該組立ネジが、組立ナットと組み合うものであることを特徴とする、請求項１〜請求項６のいずれか一つに記載の気体ポンプ。
【請求項８】
組立ナットが、ピストンヘッドの一つのディスクに挿入される回転止爪を具備することを特徴とする、請求項７に記載の気体ポンプ。
【発明の詳細な説明】
【技術分野】
【０００１】
本発明は、「エアソフトガン（登録商標）」または「ソフトエア（登録商標）」型の弾丸発射武器模型のための圧縮気体または圧縮空気の気体ポンプに関するものである。
本発明は、より詳細には、武器模型の銃身に向けた圧縮気体または圧縮空気の最良の排気を保証するために、互いに適合した形状を有する気体ポンプのピストンヘッドおよびシリンダヘッドに関するものである。
【０００２】
本発明の用途は、手動または電動装填される、空気の圧縮または他の気体の圧縮によりバネで作動する、長いまたは先端の、武器模型分野に見いだされる。
本発明は、特に、発射物が直径約６ｍｍの、きわめて軽い、プラスチック製の弾丸である武器模型に適用される。
【背景技術】
【０００３】
武器模型分野において、子供向けあるいは大人向けに、玩具の実現を目的として多数の小火器型式が複製されている。
これらの武器模型は、一般的に、直径６ｍｍ程度の球などのプラスチック製の弾丸を、本物の武器の弾丸または散弾の代わりに、発射する武器である。
これらのプラスチック製の弾丸は、圧縮気体または圧縮空気のポンプシステムを用いて武器模型から発射される。
圧縮気体ポンプの従来のシステムを備えた武器模型の例を、図１に示した。
この武器模型は、あらゆる武器模型と同様に、後述のシリンダとピストンを備えている武器本体と、弾丸１０が発射される銃身１と、周囲にプレーヤーが手を置く銃床２と、プレーヤーが自分の人差し指を差し入れる用心鉄３と、用心鉄３の内部を移動し、プラスチック製の弾丸１０の発射を起こすためにプレーヤーが引く引金４と、手動武器の場合に弾倉１２内に貯蔵された新しい弾丸を武器模型に再装填することを可能にする（図１に図示されていない）装填キーとを具備する。
【０００４】
プレーヤーが引金４を引いたとき、武器本体の中の、歯車装置５がポンプ６に作用し、このとき該ポンプ６は、銃身１に向けて前記ポンプ６内に含まれる空気または気体を排出することによって、武器模型の銃身１の外にプラスチック製の弾丸を放出する。
【０００５】
図２は、大半の武器模型に通常見られる、従来のポンプシステムを示している。
このポンプ６は、気体保持室としての気室７２の壁を形成するシリンダ７を具備している。
シリンダ７は、気室７２の銃身１側に、側壁を形成するシリンダヘッド７１を具備している。
このポンプ６は、ピストンヘッド８１を備えたピストン８も具備している。
ピストン８は、シリンダヘッド７１に向かって、気室７２内を圧縮バネ１１によって押される。
【０００６】
図２は、気室７２内のピストン８が取ることのできる二つの位置を示している。
ピストン８の上半部は、その閉鎖位置において、すなわちピストン８がシリンダヘッド７１に接触しているときが示されている。
また、ピストン８の下半部は、ピストン８の開放位置を、すなわちピストン８が圧縮バネ１１によって保持されたときを示している。
これら二つの位置を、以下に詳細に説明する。
【０００７】
シリンダヘッド７１に向かって、ピストン８全体によって駆動されたピストンヘッド８１の運動は、気室７２内にある気体の圧縮を保証する。
このとき、気室７２から逃げようとする圧縮された気体は、シリンダヘッド７１と銃身１を接続する噴射管である気体放出用の管９内に流れ込む。
この管９は、一般的に円筒状で、シリンダヘッド７１の中心孔７３内に格納される。
該管９の直径は、弾丸が管９の中に入らないように、弾丸の直径以下である。
管９は、武器模型の型式、例えば、電動式か手動式かによって異なる形状とすることができる。
【０００８】
電動武器模型の型式において、管９は、シリンダヘッド７１と一体の固定部９ａと、前後の線形運動を保証する装填管の駆動フォークに接続された可動部９ｂとを具備する。
この駆動フォーク自体は、歯車装置の歯車の一つに係合する爪と戻しバネによって駆動される。
このようにして、ピストンヘッド８１がシリンダヘッド７１に対して押し付けられる前に、管９の可動部９ｂが銃身に向かって押され、それによって弾倉の頭部内に位置する弾丸は銃身の継手以内の銃身の入口に向かって押される。
並行して、気室７２外に排出された気体は、管９を通過し、弾丸に達し、該弾丸を銃身外に押し出す。
【０００９】
手動モデルにおいて、管９は完全に固定であるが、ポンプは可動であり（可動の遊底の内部に位置づけられているので）、銃身内への弾丸の装填は同じように行われる。
弾丸は、そのとき、気体の影響を受けて同じように銃身外へ押し出される。
【００１０】
換言すれば、ピストン８が開放位置にあるとき、すなわち圧縮バネ１１が圧縮され、ピストン８が武器の後部に向かって（すなわち、銃身に相対する、銃床に向かって）維持されているとき、気室７２は、空間が大きく、この空間内にある気体は減圧される。
圧縮バネ１１が、引金を引いたことによって緩み、解放されたとき、シリンダ７内のピストン８をシリンダヘッド７１に向けて、すなわち閉鎖位置に押すので、気室７２の容積が減少して圧縮気体を生成する。
生成した圧縮気体は、管９から噴射して、弾丸を放出することになる。
ついでピストン８は、後部に向かって駆動ラック８４によって再び駆動されて、つぎの発射の準備のためにバネを圧縮する。
ピストン８の運動は、気室７２内の気体を圧縮する効果がある。
【００１１】
図２のものと同じく、従来の気体ポンプにおいて、シリンダヘッド７１は平坦である。
該シリンダヘッド７１は、その中心に気体排出孔である中心孔７３を具備し、その中に放出管である管９の先端が格納される。
気室７２内のピストン８によって圧縮された気体は、管９を通って前記気室７２から排気される。
ピストンヘッド８１の形状は、シリンダヘッド７１の形状に適合している。
したがって、ピストンヘッド８１は、シリンダヘッド７１と同様に平坦である。
閉鎖位置において、したがってピストンヘッド８１とシリンダヘッド７１は、互いに力学的に接触している。
【００１２】
また、従来、モデルガンに使用する気体ポンプとして、特許文献１（特開平１０−１５９７３７号公報）に記載のエアーポンプが知られている。
該特許文献１には、シリンダ内を往復移動するピストンを内蔵したエアーポンプの前記シリンダのヘッドに排気通路を設け、前記ピストンのヘッドに設けた吸気通路に該吸気通路を開閉する吸気弁を設け、前記ピストンの後退によって前記吸気弁が前記吸気通路を開放することにより前記シリンダの空気室へ空気を吸引し、前記ピストンの前進によって前記吸気弁が前記吸気通路を閉塞することにより前記空気室の空気を前記排気通路から排出するようにしたエアーポンプが記載されている。
【特許文献１】特開平１０−１５９７３７号公報
【発明の開示】
【発明が解決しようとする課題】
【００１３】
しかしながら、従来のものでは、ピストンヘッドとシリンダヘッドが平坦なので、圧縮空気流れは、無作為的に気室から排気される。
すなわち、ピストンヘッドがシリンダヘッドに接近したとき、圧縮気体流れは、ピストンヘッダおよびシリンダヘッドの平坦部分の前で寸法が小さい管から排気されにくい。
なぜなら、シリンダのはるかに大きな寸法に対して、銃身に向かう気体流れ出口の直径の激減のために、圧縮気体の大部分は平坦なシリンダヘッドが形成する壁に当たって止められるからである。
気体流れは、放出管である管から出ようとするが、大きな相反する乱流を生じるので排気しにくい。
この現象は、シリンダの直径と放出管の直径の間の差が大きいほど大きくなる。
なぜなら、気室内の圧縮気体量、つまり、弾丸の推進力を増加するようにポンプのサイズを大きくしても、放出管の直径は弾丸の直径によって決まるから、放出管の直径はそれほど増加しないからである。
このようにして、ポンプの直径を増加させ、放出管のサイズとピストンヘッドおよびシリンダヘッドの平坦表面との不均衡がより大きくなる。
結果として、ピストンはシリンダヘッドに接近する行程で減速し、それがポンプ効率の大幅な損失を引き起こし、発射能力が劣ることになる。
ポンプの平坦部分による損失はしたがって、ポンプの寸法が大きいときに、比例して、いっそう大きくなる。
【００１４】
この問題を解消するために、もっと強い、すなわち、より大きな剛性の圧縮バネを一般的に使用することによって、製造者は乱流による損失を補正し、発射能力の改善を図ることができる。
しかし、剛性のより大きなこのバネは、装填キーに対するより大きな押し付け力を必要とする。
【００１５】
この理由のために、手動装填のバネ式武器模型は、単に「玩具」として楽しむためのモデルの場合、力のない使用者、特に女性や子供に大きな難題を課すことになる。
なぜなら、これらのモデルはバネが硬いので装填が困難であり、このことにより、発射に支障をきたし、さらには発射できない可能性がある。
【００１６】
電動自動武器模型に関しては、剛性の大きなバネの存在によって一番負担が増すのはモータである。
この場合、もっと強力なモータが必要になり、電力消費が増える。
しかるに、このモータは電池から電力を供給され、該電池のサイズは武器模型内の、電池に利用できる空間によって制限される。
したがって、武器模型のモーターの連続使用可能時間は、したがって剛性の大きなバネの使用によって大幅に短縮される。
くわえて、複数の大小の歯車で構成されるギアボックスの疲労は早く、ついには歯がこぼれてしまう。
【００１７】
すなわち、剛性の大きなバネを使用しなくても、発射能力に優れた気体ポンプを提供することが望まれていた。
【課題を解決するための手段】
【００１８】
本発明は、まさに先行技術の課題を解決することを目的とする。
この目的のために、本発明は、ピストンヘッドがその形状に適合した形状であるシリンダヘッドに嵌合する円錐形状を有する、圧縮気体または圧縮空気用の気体ポンプを提案する。
シリンダヘッドは、圧縮気体がシリンダヘッドの中心孔に向けて、つまり、放出管である管に向けて導かれることを可能にする漏斗の形状を有する。
ピストンヘッドの円錐形状に組み合わされたシリンダヘッドの漏斗形状は、放出管である管を通って気体保持室である気室から排気されるのに気体が遭遇する抵抗を、大幅に減らすことを可能にする。
【００１９】
より詳細には、本発明は弾丸発射武器模型のための気体ポンプに関するものであり、該気体ポンプは、気体保持室である気室を形成し、前記気体保持室である気室の側壁を形成するシリンダヘッドを備え、前記シリンダヘッドが中心孔を具備するシリンダと、気室に通じる第１端と武器模型の銃身内に通じる第２端を有する気体放出管である管と、気室内を移動し、前記気室内の気体を圧縮するのに適したピストンヘッドを備えたピストンとを具備するものである。
【００２０】
このポンプは、一方では、ピストンヘッドが円錐形状を有し、他方では、シリンダヘッドが、ピストンヘッドの円錐形状の相補的な漏斗形状を有することを特徴とする。
【００２１】
有利には、本発明による気体ポンプは、以下の特徴の一つを有することができる。
シリンダヘッドは、気体の導流フィンを具備する。
ピストンヘッドは、シリンダヘッドのフィンを受けるのに適した溝を具備する。
気体ポンプは、シリンダヘッドとピストンヘッドの間に配置された緩衝継手を具備する。
緩衝継手は、Ｏリングである。
ピストンヘッドは、ピストンヘッドの両側に貫通し、組立ナットで終わっている組立ネジを具備する。
組立ナットは、ピストンヘッドのディスク内に挿入される回転止爪を備えている。
【００２２】
すなわち、本発明の課題を解決するための手段は、次のとおりである。
【００２３】
第１に、
弾丸を発射する武器模型のための気体ポンプにおいて、
気体保持室としての気室を形成し、該気室の側壁を形成するシリンダヘッドを備え、該シリンダヘッドが中心孔を有するシリンダと、
気室に通じる第１端および武器模型の銃身内に通じる第２端を有する気体放出管である管と、
気室内を移動し、気室内の気体を圧縮するのに適したピストンヘッドを備えたピストンとを具備し、
ピストンヘッドが、円錐形状を有し、
シリンダヘッドが、ピストンヘッドの円錐形状の相補的な漏斗形状を有し、
シリンダヘッドが、気体放出管である管に向けて空気流れに渦を起こさせるための手段を含んでいることを特徴とする、気体ポンプ。
第２に、
空気流れに渦を起こさせるための手段が、フィンであることを特徴とする、上記第１に記載の気体ポンプ。
第３に、
ピストンヘッドが、シリンダヘッドのフィンを受けるのに適した溝を具備することを特徴とする、上記第２に記載の気体ポンプ。
第４に、
シリンダヘッドとピストンヘッドとの間に、緩衝継手を具備することを特徴とする、上記第１〜上記第３のいずれか一つに記載の気体ポンプ。
第５に、
緩衝継手が、Ｏリングであることを特徴とする、上記第４に記載の気体ポンプ。
第６に、
ピストンヘッドが、第１ディスク及び第２ディスクを有し
第１ディスクと第２ディスクとの間に、気密Ｏリング継手を具備することを特徴とする、上記第１〜上記第４のいずれか一つに記載の気体ポンプ。
第７に、
ピストンヘッドが、ピストンヘッドの両側に貫通する組立ネジを具備し、
該組立ネジが、組立ナットと組み合うものであることを特徴とする、上記第１〜上記第６のいずれか一つに記載の気体ポンプ。
第８に、
組立ナットが、ピストンヘッドの一つのディスクに挿入される回転止爪を具備することを特徴とする、上記第７に記載の気体ポンプ。
【発明の効果】
【００２４】
本発明によれば、剛性の大きなバネを使用しなくても、発射能力に優れている。
【発明を実施するための最良の形態】
【００２５】
すでに説明した図１は、従来の武器模型の一例の部分断面概略図を示している。
すでに説明した図２は、従来の気体ポンプの一例の部分断面概略図を示している。
図３は、本発明による気体ポンプの縦断面による説明図を示している。
図４は、本発明による気体ポンプのシリンダヘッドの説明図を示し、（ａ）は正面図を、（ｂ）は側面側の一部縦断面図を示している。
図５は、本発明による気体ポンプのピストンヘッドの説明図を示し、（ａ）は側面側の一部縦断面図を、（ｂ）は正面図を示している。
図６は、本発明による気体ポンプで得られた求心渦流の概略図を示している。
【００２６】
本発明の圧縮空気用または圧縮気体用の気体ポンプにおいて、シリンダヘッド７１とピストンヘッド８１は、放出管である管９に向かう圧縮気体の推進を容易にする形状を有する。
以下の説明において、武器模型のポンプに通常使用される他の一切の気体も本発明のポンプに使用できるものとして、圧縮空気用の気体ポンプを説明する。
【００２７】
図３において、本発明の圧縮空気ポンプの側面断面図を示した。
この図３は、空気保持室である気室７２を形成するシリンダ７を示している。
このシリンダ７は、シリンダヘッド７１を備え、その中心孔７３は、武器模型の銃身に向かう空気の排出を可能にする。
先行技術のものと同一の、放出管である管９の一端は、この中心孔７３の近傍に格納される。
この図３は、気室７２内に向けて移動することのできるピストン８も示している。
【００２８】
本発明において、ピストン８は、円錐形の、すなわち頂点が平らになった円錐の形状を有するピストンヘッド８１を有する。
シリンダヘッド７１は、漏斗形の形状を有する。
換言すれば、シリンダヘッド７１の中心は、中心孔７３である円錐形の頸部を形成する。
ピストンヘッド８１の形状は、シリンダヘッド７１の漏斗形状に嵌合するのに適している。
【００２９】
シリンダヘッド７１は、シリンダ７内に固定されている。
該シリンダヘッド７１は、中心孔７３を具備している。
本発明において、放出管である管９は、気室７２内に通じるために中心孔７３を貫通する第１端を具備している。
この第１端は、前記中心孔７３の近傍で、シリンダヘッド７１内に格納される。
第２端は、武器模型の銃身内に通じている。
本発明の実施態様において、管９は、現物鋳造でシリンダヘッド７１内に挿入される。
【００３０】
先行技術と同様に、放出管である管９は、空気圧縮室である気室７２から中でプラスチック製の弾丸が排出を待っている銃身まで圧縮空気を通すためのものである。
手動装填武器模型の場合、圧縮空気流れが弾丸の排出を保証する。
【００３１】
電動装填武器模型の場合、管９は可動であり、弾丸の装填は駆動フォークによって動かされた管９の運動によって行われる。
この移動は、図３において矢印で示されている。
電動モデルの場合、装填管とも呼ばれる放出管の移動が、発射の際の銃身内の弾丸の推進を可能にする。
【００３２】
シリンダヘッド７１は、シリンダヘッド７１の受溝９１の中に配置されたＯリング継手７４を用いて、シリンダ７内部で、気密にされる。
【００３３】
ピストンヘッド８１は、第１ディスク８９および第２ディスク９０を備えている。
第２ディスク９０は、円錐形である。
この第２ディスク９０が、圧縮空気と接触している。
シリンダヘッド７１の中心孔７３に向かい合って位置づけられた第２ディスク９０の円錐の平らになった頂点が、シリンダヘッド７１の中心孔７３に向けて圧縮空気を最大限誘導することを可能にする。
第１ディスク８９は、第２ディスク９０の後方に位置する。
これは、ピストンヘッド８１およびピストン８のその他の部品の間の境界面の役割を果たす。
特に、第１ディスク８９は、ピストン８の駆動ラック８４に固定されている。
組立ネジ８５は、第２ディスク９０および第１ディスク８９を貫通している。
この組立ネジ８５は、組立ナット８６内にねじ込まれ、それに圧縮バネ１１が支えられる。
この組立ナット８６は、ピストン８の第１ディスク８９内に挿入される回転止爪８３を備えている。
この回転止爪８３は、シリンダ７内のピストン８の一切の回転を回避することを可能にする。
【００３４】
ピストン８の第１ディスク８９と第２ディスク９０との間に配置された気密継手であるＯリング継手８８は、ピストン８とシリンダ７の間の気密を保証する。
このＯリング継手８８は、第１ディスク８９内に形成された受溝９１内に配置されている。
受溝９１の容量は、Ｏリング継手８８の直径を超える。
したがって、ピストンヘッド８１がシリンダヘッド７１に接近したとき、気室７２の少量の圧縮空気が空気通過孔９２を介して、Ｏリング継手８８の受溝９１に移る。
その結果、Ｏリング継手８８が外側に、すなわちシリンダ７に対して押し付けられ、このことによりピストンヘッド８１とシリンダ７の間の気密が確保され、ピストンヘッド８１の後方への空気の一切の排斥が回避される。
【００３５】
本発明の気体ポンプは、ピストンヘッド８１とシリンダヘッド７１の間に、緩衝器８７も備えている。
この緩衝器８７も、Ｏリング継手とすることができる。
その役割は、ピストンヘッド８１がシリンダヘッド７１に押し当てられるときに、ピストンヘッド８１とシリンダヘッド７１の間の接触を緩衝することである。
なぜなら、シリンダヘッド７１とピストンヘッド８１の形状を考えると、圧縮空気はきわめて迅速に放出管である管９内に発散し、そのためシリンダヘッド７１上に達するピストンヘッド８１の速度は比較的大きくなる。
この緩衝器８７、または緩衝リングは、一方または他方のヘッドを損傷するおそれのある、ピストンヘッド８１とシリンダヘッド７１の間の急激な力学的接触の回避を可能にする。
このようにして緩衝器８７は、シリンダヘッド７１に対するピストンヘッド８１の衝突を回避するために、シリンダヘッド７１とピストンヘッド８１の間に必要な最小距離を確保する。
【００３６】
このように、本発明の圧縮空気用の気体ポンプを用いれば、使用者が武器模型の引金を引いたとき、圧縮バネ１１がピストンヘッド８１をシリンダヘッド７１に向けて駆動する。
空気保持室である気室７２内に存在する空気は、このとき圧縮される。
ピストンヘッド８１およびシリンダヘッド７１の形状のために、圧縮空気流は中心孔７３に向けて、つまり、放出管である管９に向けて直接導かれる。
空気流は、このようにシリンダヘッド７１の中心に向けて、一つの相対的な塊に濃縮される。
【００３７】
本発明による気体ポンプは、したがって、放出管である管９によって逃げるときに、空気の抵抗を大幅に減らすことを可能にする。
この抵抗は、放出管である管９に向けて空気流に渦を巻かせるための手段を用いることによって、さらに減らされる。
これらの手段は、シリンダヘッド７１の表面に配置されたフィン７５から成る。
このときピストンヘッド８１は、これらのフィン７５を受納するための、すなわちピストンヘッド８１がシリンダヘッド７１に接近したとき、フィン７５の周囲に嵌合するための溝９３または欠刻を備えている。
【００３８】
図４は、本発明によるシリンダヘッドの断面図を示している。
より詳細には、図４中の（ｂ）はシリンダヘッドの側面断面図である。
図に示すように、放出管である管９は、シリンダヘッド７１の中心孔７３の中で終わっている。
図４中の（ｂ）に示す実施態様において、シリンダヘッド７１は中心孔７３に向けて、つまり、放出管である管９に向けて空気流に渦を巻かせるためのフィン７５を具備している。
この図は、圧縮空気全体が排出されたときに、ピストンヘッド８１とシリンダヘッド７１が互いに直接接触しないようにシリンダヘッド７１の前に配置された緩衝器８７としてのＯリングも示している。
【００３９】
図４中の（ａ）は、シリンダヘッド７１の正面断面図を示している。
この図に示すように、シリンダヘッド７１に、異なるフィン７５が固定されている。
図４中の（ａ）の場合、これらのフィンの数は６個である。
それらの数、それらの形状およびそれらの場所は、シリンダヘッド７１の中心に向かう、すなわち中心孔７３に向かう圧縮空気流の渦を引き起こすように選択される。
これらのフィン７５は、周知の全ての固定手段によってシリンダヘッド７１に固定できる。
該フィン７５は、シリンダヘッド７１とともに鋳造することもできる。
【００４０】
図５中の（ａ）に、本発明によるピストンヘッドの側面断面図を示した。
この図は、両者ともにＯリング継手８８によって分離された、平らな円錐形を有する第２ディスク９０およびその第１ディスク８９によるピストンヘッド８１の先端を示している。
それはまた、ピストン８の異なる部品を一緒に固定するためにピストンヘッド８１を貫通する組立ネジ８５も示している。
【００４１】
図５中の（ｂ）は、ピストンヘッド８１の正面断面図を示している。
この図５中の（ｂ）は、シリンダヘッド７１の６個のフィン７５を受納するための６個の溝９３を示している。
これらの溝９３は、フィン７５の周囲に嵌合するのに適した寸法と形状を有する。
これらの溝９３は、例えば、前記ディスクの鋳造の際に、第２ディスク９０内に形成される。
【００４２】
この図５中の（ｂ）は、気密継手であるＯリング継手８８に向かう６個の空気通過孔９２も示しており、１つの空気通過孔９２は、それぞれの溝９３の底に形成されている。
しかしながら、空気通過孔９２の数および場所は、使用された継手のタイプと武器模型の型式によって変化することがある。
【００４３】
図６は、シリンダヘッド７１内で得られた空気流を概略表示している。
この空気流は、矢印で示されている。
図６に示すように、この圧縮空気流は、フィン７５によってシリンダヘッド７１の中心に向けて導かれ、それによって、中心孔７３の近傍で、放出管である管９への空気流のより高速の放出を保証する渦が形成される。
なぜなら、圧縮空気は、フィン７５の間でその速度が増加し、シリンダヘッド７１の中心に向かって収斂しながら回転し始め、それによって放出管である管９によって吸い込まれる求心渦を形成し、それが空気の速度を、つまり、銃身の入口にある弾丸を推進するための流れのエネルギーを大幅に増大させるからである。
【図面の簡単な説明】
【００４４】
【図１】従来の武器模型の一例の部分断面概略図
【図２】従来の気体ポンプの一例の部分断面概略図
【図３】本発明による気体ポンプの縦断面による説明図
【図４】本発明による気体ポンプのシリンダヘッドの説明図
【図５】本発明による気体ポンプのピストンヘッドの説明図
【図６】本発明による気体ポンプで得られた求心渦流の概略図
【符号の説明】
【００４５】
１  銃身
２  銃床
３  用心鉄
４  引金
５  歯車装置
６  ポンプ
７  シリンダ
８  ピストン
９  管
９ａ  固定部
９ｂ  可動部
１０  弾丸
１１  圧縮バネ
１２  弾倉
７１  シリンダヘッド
７２  気室
７３  中心孔
７４  Ｏリング継手
７５  フィン
８１  ピストンヘッド
８３  回転止爪
８４  駆動ラック
８５  組立ネジ
８６  組立ナット
８７  緩衝器
８８  Ｏリング継手
８９  第１ディスク
９０  第２ディスク
９１  受溝
９２  空気通過孔
９３  溝
【図１】
2005172000.tif 000003
【図２】
2005172000.tif 000004
【図３】
2005172000.tif 000005
【図４】
2005172000.tif 000006
【図５】
2005172000.tif 000007
【図６】
2005172000.tif 000008